(57)【要約】【課題】クレセントの施錠・解錠状態を容易に視認することのできるクレセント及びクレセント付サッシを提供する。【解決手段】枠体１内に設けられる内外障子のうち内障子４ａの召合せ框５２ａに設けられ、召合せ框に固定される本体部１１に設けられる施錠手段１４によって内外障子を施錠するものであって、施錠手段１４は一部が本体部１１よりも突出するように形成され、突出した部分には磁石が取付けられ、磁石の位置を検知する検知機構を内蔵し本体部とは別体として形成された検知装置６０を本体部１１の近傍に配置して施錠手段１４の突出した部分と対向させ、検知装置６０は施錠手段１４の位置を検知装置が検知したら、施錠・解錠状態に応じて発光部を点灯または点滅させる制御回路を有してなる。【選択図】図１
2008050916.tif 000002
【特許請求の範囲】
【請求項１】
枠体内に設けられる内外障子のうち内障子の召合せ框に設けられるものであって、該召合せ框に固定される本体部に設けられる施錠手段によって内外障子を施錠するクレセントにおいて、
前記施錠手段は一部が前記本体部よりも突出するように形成されるとともに、突出した部分に磁石が取付けられ、
前記磁石の位置を検知する検知機構を内蔵し前記本体部とは別体として形成された検知装置を前記本体部の近傍に配置して前記施錠手段の突出した部分と対向させ、前記検知装置は前記検知機構の他に電池と、発光部と、制御基板とを備え、
前記検知装置の制御基板は前記検知機構が前記磁石の位置を検知したら、該磁石の位置によって判別される前記施錠手段の施錠・解錠状態に応じて前記発光部を点灯または点滅させる制御回路を有してなることを特徴とするクレセント。
【請求項２】
枠体内に設けられる内外障子のうち内障子の召合せ框に設けられるものであって、該召合せ框に固定される本体部に設けられる施錠手段によって内外障子を施錠するクレセントにおいて、
前記施錠手段はハンドルと連動して回動する掛部と、前記ハンドルが施錠位置にある場合にスライド操作するとその回動をロックする補助ロックとを備え、該補助ロックは前記本体部の側面に設けられ、上方または下方に延出された延出部を有すると共に、該延出部に磁石が取付けられ、
前記磁石の位置を検知する検知機構を前記本体部と一体または別体とした検知装置に設け、該検知装置は前記延出部と対向すると共に、前記検知機構の他に電池と、発光部と、制御基板とを備え、
前記検知装置の制御基板は前記検知機構が前記磁石の位置を検知したら、該磁石の位置によって判別される前記補助ロックの施錠・解錠状態に応じて前記発光部を点灯、消灯または点滅させる制御回路を有してなることを特徴とするクレセント。
【請求項３】
前記本体部は前記内外障子が閉じた状態で前記ハンドルを回動自在とし、前記内外障子が開いた状態で前記ハンドルの回動をロックする空掛け防止機構を備えたことを特徴とする請求項２記載のクレセント。
【請求項４】
前記検知機構にホール素子を用いたことを特徴とする請求項１〜３のいずれか１項に記載のクレセント。
【請求項５】
前記制御回路は前記施錠手段の施錠状態を前記検知装置が検知した場合には前記発光部を消灯させ、前記施錠手段の解錠状態を前記検知装置が検知した場合には前記発光部を点灯または点滅させることを特徴とする請求項１〜４のいずれか１項に記載のクレセント。
【請求項６】
枠体内に内外障子を引き違い状に納めてなり、前記内障子の召合せ框に請求項１〜５のいずれか１項に記載のクレセントを設けてなることを特徴とするクレセント付サッシ。
【発明の詳細な説明】
【技術分野】
【０００１】
本発明は引き違い状の内外障子の召合せ框に設けられるクレセント及びクレセント付サッシに関し、特に内外障子の施錠・解錠状態を視覚的に示すことのできるクレセント及びクレセント付サッシに関する。
【背景技術】
【０００２】
従来から内外障子を引き違い状としてなるサッシが知られている。このようなサッシでは、内障子の召合せ框にクレセントを設け、外障子の召合せ框には受部を設け、クレセントのハンドルを回動させることで、それに連動して爪状の掛部が回動し、外障子の受部に係合して障子を施錠することができるようにされている。このようなクレセントを有した引き違い障子のサッシは例えば特許文献１に挙げるようなものがある。
【特許文献１】特開２００２−１８０７５５号公報
【発明の開示】
【発明が解決しようとする課題】
【０００３】
クレセントには、ハンドルと連動して回動する掛部の他に、掛部が受部に係合して障子が施錠状態となっているときに、スライド動作によりハンドルの回動をロックする補助ロックも設けられる。クレセントが補助ロックも含めて確実に施錠されることは、防犯上重要であるが、補助ロックによる施錠状態も含めたクレセントの施錠・解錠状態を容易に視認することは困難であった。
【０００４】
本発明は、上記課題を解決すべくなされたものであり、クレセントの施錠・解錠状態を容易に視認することのできるクレセント及びクレセント付サッシを提供することを目的とする。
【課題を解決するための手段】
【０００５】
上記課題を解決するため、本発明に係るクレセントは、枠体内に設けられる内外障子のうち内障子の召合せ框に設けられるものであって、該召合せ框に固定される本体部に設けられる施錠手段によって内外障子を施錠するクレセントにおいて、
前記施錠手段は一部が前記本体部よりも突出するように形成されるとともに、突出した部分に磁石が取付けられ、
前記磁石の位置を検知する検知機構を内蔵し前記本体部とは別体として形成された検知装置を前記本体部の近傍に配置して前記施錠手段の突出した部分と対向させ、前記検知装置は前記検知機構の他に電池と、発光部と、制御基板とを備え、
前記検知装置の制御基板は前記検知機構が前記磁石の位置を検知したら、該磁石の位置によって判別される前記施錠手段の施錠・解錠状態に応じて前記発光部を点灯または点滅させる制御回路を有してなることを特徴として構成されている。
【０００６】
また、本発明に係るクレセントは、枠体内に設けられる内外障子のうち内障子の召合せ框に設けられるものであって、該召合せ框に固定される本体部に設けられる施錠手段によって内外障子を施錠するクレセントにおいて、
前記施錠手段はハンドルと連動して回動する掛部と、前記ハンドルが施錠位置にある場合にスライド操作するとその回動をロックする補助ロックとを備え、該補助ロックは前記本体部の側面に設けられ、上方または下方に延出された延出部を有すると共に、該延出部に磁石が取付けられ、
前記磁石の位置を検知する検知機構を前記本体部と一体または別体とした検知装置に設け、該検知装置は前記延出部と対向すると共に、前記検知機構の他に電池と、発光部と、制御基板とを備え、
前記検知装置の制御基板は前記検知機構が前記磁石の位置を検知したら、該磁石の位置によって判別される前記補助ロックの施錠・解錠状態に応じて前記発光部を点灯、消灯または点滅させる制御回路を有してなることを特徴として構成されている。
【０００７】
さらに、本発明に係るクレセントは、前記本体部は前記内外障子が閉じた状態で前記ハンドルを回動自在とし、前記内外障子が開いた状態で前記ハンドルの回動をロックする空掛け防止機構を備えたことを特徴として構成されている。
【０００８】
さらにまた、本発明に係るクレセントは、前記検知機構にホール素子を用いたことを特徴として構成されている。
【０００９】
そして、本発明に係るクレセントは、前記制御回路は前記施錠手段の施錠状態を前記検知装置が検知した場合には前記発光部を消灯させ、前記施錠手段の解錠状態を前記検知装置が検知した場合には前記発光部を点灯または点滅させることを特徴として構成されている。
【００１０】
さらにまた、本発明に係るクレセント付サッシは、枠体内に内外障子を引き違い状に納めてなり、前記内障子の召合せ框に請求項１〜５のいずれか１項に記載のクレセントを設けてなることを特徴として構成されている。
【発明の効果】
【００１１】
本発明に係るクレセントによれば、施錠手段は一部が本体部よりも突出するように形成されるとともに、突出した部分に磁石が取付けられ、磁石の位置を検知する検知機構を内蔵し本体部とは別体として形成された検知装置を本体部の近傍に配置し、検知装置の制御基板は検知機構が磁石の位置を検知したら、該磁石の位置によって判別される施錠手段の施錠・解錠状態に応じて発光部を点灯または点滅させる制御回路を有してなることにより、障子の施錠状態を容易に視認することができ、施錠のし忘れなどを防止してサッシの防犯性を高めることができる。また、検知装置が本体部と別体として設けられているので、施錠状態の検知及び視認の機能を後付けで容易に追加することができると共に、検知装置のメンテナンス性も良好にすることができる。
【００１２】
また、本発明に係るクレセントによれば、施錠手段はハンドルが施錠位置にある場合にスライド操作するとハンドルの回動をロックする補助ロックを備え、補助ロックは本体部の側面に設けられ、上方または下方に延出された延出部を有すると共に、延出部に磁石が取付けられ、磁石の位置を検知する検知機構を本体部と一体または別体とした検知装置に設け、検知装置の制御基板は検知機構が磁石の位置を検知したら、該磁石の位置によって判別される補助ロックの施錠・解錠状態に応じて発光部を点灯、消灯または点滅させる制御回路を有してなることにより、障子の施錠状態を容易に視認することができ、施錠のし忘れなどを防止してサッシの防犯性を高めることができる。また、補助ロックのスライド操作を検出して発光部を点灯等させることにより、ハンドルの回動操作により内外障子が係合された上で補助ロックのスライド操作によるハンドルのロックを行った状態を施錠状態と認識でき、より完全な施錠状態を検出して防犯性を高めることができる。
【００１３】
本発明に係るクレセントによれば、本体部は内外障子が閉じた状態でハンドルを回動自在とし、内外障子が開いた状態でハンドルの回動をロックする空掛け防止機構を備えたことにより、内外障子が完全に閉まっていない状態で施錠状態とされることを防止でき、確実に障子が閉鎖された状態で施錠されたことを検出することができる。
【００１４】
また、本発明に係るクレセントによれば、検知機構にホール素子を用いたことにより、施錠手段の位置を非接触で容易に検知することができる。
【００１５】
さらに、本発明に係るクレセントによれば、制御回路は施錠手段の施錠状態を検知装置が検知した場合には発光部を消灯させ、施錠手段の解錠状態を検知装置が検知した場合には発光部を点灯または点滅させることにより、障子が施錠されていないことを点灯または点滅で確実に視認させることができ、一方で障子が施錠されている際には電力を消費しないので、電池の寿命を長くすることができる。
【００１６】
本発明に係るクレセント付サッシによれば、枠体内に内外障子を引き違い状に納めてなり、前記内障子の召合せ框に前記いずれかのクレセントを設けてなることにより、クレセントによる施錠状態を容易に視認することのできるサッシとすることができる。
【発明を実施するための最良の形態】
【００１７】
本発明の実施形態について、図面に沿って詳細に説明する。図１は本実施形態におけるサッシを室内側から見た正面図である。この図に示すように、本実施形態におけるサッシは、建物開口部に方形状の枠体１を設け、その内部に２枚の障子４、４を引き違い状に納めてなるものである。
【００１８】
障子４は上框５０と下框５１及び左右の縦框５２、５２を方形状に框組みしてなる框体２にガラス体３を納めてなるものである。そして、内障子４ａの召合せ框５２ａにはクレセント１０が設けられ、外障子４ｂの召合せ框５２ａには受金具１５が設けられる。
【００１９】
クレセント１０は、召合せ框５２ａに固定される本体部１１と、本体部１１に回動自在に取付けられたハンドル１３と、ハンドル１３に固定され共に回動する爪状の掛部１２と、本体部１１の室内側面に設けられスライド操作によってハンドル１３の回動をロックする補助ロック１４とを備えている。受金具１５は、内障子４ａと外障子４ｂが閉じた状態でクレセント１０の掛部１２が回動することで係合する受部１６を備えている。ハンドル１３と連動して回動する掛部１２は、受け金具１５に対する係合によって障子４を施錠し、補助ロック１４はさらにハンドル１３の回動をロックすることによって障子４を施錠するもので、これら掛部１２及び補助ロック１４によって障子４の施錠手段を構成している。
【００２０】
また、内障子４ａの召合せ框５２ａにおいてクレセント１０の上方には、本体部１１と隣接するように検知装置６０が取付けられる。補助ロック１４はクレセント１０の室内面から上方に突出するように延出された延出部１４ａを有しており、検知装置６０は補助ロック１４の延出部１４ａと対向して、その位置を検知する検知機構６４を内部に有している。
【００２１】
図２には、内障子４ａと外障子４ｂが閉じた状態のサッシの横断面図を示している。内障子４ａと外障子４ｂは、上枠（図示しない）と下枠（図示しない）及び左右の縦枠４２、４２を方形状に枠組みした枠体１内に納められ、また内障子４ａと外障子４ｂの縦框５２のうち、召合せ框５２ａ、５２ａは室内外方向で互いに対向しており、内障子４ａの召合せ框５２ａを構成する一側面にクレセント１０の本体部１１が取付けられている。
【００２２】
図３には、クレセント１０及び検知装置６０を室内側から見た正面図を示している。この図に示すように、本体部１１は上下方向に長い箱状に形成されており、ハンドル１３は本体部１１に対して回動自在に設けられている。また、掛部１２はハンドル１３が上向きに配置されているときに室外面となる面に取付けられている。
【００２３】
検知装置６０も上下方向に長い箱状に形成されており、その上面はカバー６０ａによって構成されている。また、検知装置６０の下部は、クレセント１０のハンドル１３上部と対向し、上部は下部よりも張り出すように形成されている。そして、検知装置の６０の下部には、室内側に露出するように窓部６０ｂが形成されており、ここには半透明の樹脂材が嵌め込まれている。後述するように検知装置６０には発光部６３が内蔵されており、窓部６０ｂを介して室内側からその発光を視認することができる。さらに、検知装置６０の下面は、クレセント１０の本体部１１の上面と当接するように配置される。
【００２４】
補助ロック１４は上下方向に長い平板状に形成されており、下端部近傍においてクレセント１０の本体部１１内部と連係すると共に、上部の延出部１４ａにおいて検知装置６０と連係している。また、延出部１４ａの検知装置６０と対向する部分には、内部に磁石１４ｂが納められている。
【００２５】
本体部１１内部にはハンドル１３を回動させる回動機構（図示しない）と、掛部１２の空掛け状態の場合にハンドル１３の回動をロックする回動規制機構（図示しない）とが納められている。また、図２に示すように、クレセント１０の本体部１１の室外面からは、ハンドル１３の回動に伴って回動規制機構を構成するトリガ部２０が出没する。
【００２６】
図４には、受金具１５を室内側から見た正面図を示している。受金具１５は、図４で示す右半分は召合せ框５２ａに対する固定部１７として形成され、左半分はクレセント１０の掛部１２に対する受部１６として形成されている。受部１６は方形状で中央部が中空状とされた枠形状に形成されており、左端部にはクレセント１０の掛部１２に係合する被係合部１６ａを有している。また、受部１６の室内面には樹脂材からなる金具カバー３０が設けられている。
【００２７】
金具カバー３０は、受部１６の固定部側一端を覆う略長方形状に形成されている。また、金具カバー３０には、上下二箇所に室内側に向かって突出させた突起部３１が形成される。またその突起部３１は、被係合部１６ａに対して水平位置が上方及び下方に位置している。
【００２８】
図５には内障子４ａと外障子４ｂを閉じた状態における召合せ框５２ａ、５２ａの横断面図であって、クレセント１０による施錠がなされていない状態の図を示している。この図に示すように、この状態ではクレセント１０のハンドル１３は下向きに配置され、また掛部１２は室内側に配置されている。外障子４ｂの受部１６に形成された被係合部１６ａは、内障子４ａと外障子４ｂを閉じた状態でクレセント１０の掛部１２に対向する位置に配置されている。また、金具カバー３０に形成された突起部３１は、クレセント１０の本体部１１に対向する位置に配置されている。
【００２９】
図６には図５の状態からクレセント１０による施錠を行った状態の図を示している。この図に示すように、この状態ではクレセント１０のハンドル１３は上向きに配置され、また掛部１２は受部１６の被係合部１６ａに係合している。ここで、クレセント１０の本体部１１からはその内部に設けられた回動規制機構のトリガ部２０が突出し、その先端部２０ａが金具カバー３０の突起部３１の先端部３１ａに当接している。
【００３０】
このように、内障子４ａと外障子４ｂが完全に閉じた状態で、クレセント１０の掛部１２が受部１６の被係合部１６ａに係合可能な状態においては、クレセント１０のハンドル１３の回動に伴って本体部１１から室外側に向かって突出するトリガ部２０が、受部１６の被係合部１６ａよりも見付方向外側に形成された金具カバー３０の突起部３１に当接し、これによって回動規制機構２０はハンドル１３の回動に対するロックを解除する。すなわち、内障子４ａと外障子４ｂが完全に閉じた状態では、クレセント１０のハンドル１３は、回動規制機構に回動を規制されることなく掛部１２が受部１６の被係合部１６ａに係合する位置まで回動させることができる。
【００３１】
図７には内障子４ａと外障子４ｂが閉じていない状態における召合せ框５２ａ、５２ａの横断面図を示している。この図に示すように、この状態でクレセント１０のハンドル１３を回動させると、本体部１１から回動規制機構のトリガ部２０が突出し、この場合はトリガ部２０の突出方向に突起部３１のような障害物がないため、図６の場合よりさらに室外側まで突出する。すると、回動規制機構はハンドル１３の回動をロックし、それ以上ハンドル１３を施錠方向に回動できないようにする。これにより内障子４ａと外障子４ｂが完全には閉じていない際に生じるクレセントの空掛けを防止することができる。
【００３２】
図８には、クレセント１０と検知装置６０の側面図を示している。この図の補助ロック１４は、実線で示した位置にあるときは、ハンドル１３の回動をロックした状態であり、破線で示した位置にあるときは、ロックが解除されてハンドル１３を回動自在とした状態である。すなわち、ハンドル１３が施錠状態の位置にある場合に、補助ロック１４を下方に向かってスライド操作すると、補助ロック１４はハンドル１３の回動をロックし、補助ロック１４を上方に向かってスライド操作すると、補助ロック１４はハンドル１３のロック状態を解除する。このように補助ロック１４は図８に示した範囲でスライドし、ハンドル１３の回動をロックまたはロック解除する。なお、本体部１１には、ハンドル１３が施錠状態の位置にない場合には補助ロック１４がスライドしないようにロックする機構を備えている。
【００３３】
クレセント１０には前述のように空掛けを防止する機構が設けられているから、障子４の施錠の際は、まず内障子４ａと外障子４ｂが完全に閉じた状態とされていなければ、クレセント１０のハンドル１３を回動させることはできない。障子４が完全に閉じた状態でクレセント１０のハンドル１３が回動操作されると、掛部１２が受金具１５に係合し、さらに補助ロック１４が下方に向かってスライド操作されて、ハンドル１３の回動がロックされることで、障子４が完全な施錠状態であるものとし、検知装置６０は障子４がこの完全な施錠状態であるか否かを視認できる機能を有している。
【００３４】
図９には、検知装置６０のカバー６０ａを取り外した状態の側面図を示している。この図にはクレセント１０の補助ロック１４も示している。検知装置６０の内部は中空状に形成されており、その上部には電池（図示しない）を納める電池収容部６５が形成され、下部には各種部品を載置する制御基板６１が設けられる。
【００３５】
制御基板６１には、色の異なる２つのＬＥＤからなる発光部６３と、補助ロック１４に取付けられる磁石１４ｂの位置を非接触で検出する検知機構６４と、検知機構６４及び発光部６３と接続され発光部６３における発光を制御する制御回路６２とが配置されている。
【００３６】
発光部６３は、赤色のＬＥＤと緑色のＬＥＤとが縦方向に近接配置されており、制御回路６２による制御に伴いいずれかが点灯または点滅、あるいは消灯する。図８に示すように、検知装置６０のカバー６０ａには発光部６３の位置に窓部６０ｂが形成され、ここは半透明の樹脂材で覆われており、発光部６３のいずれかのＬＥＤが点灯または点滅すると、外部からそれを視認できるようにされている。
【００３７】
検知機構６４は、制御基板６１上で検知装置６０の室内面近傍であって、補助ロック１４のスライド動作に伴って磁石１４ｂが上下方向に移動する範囲内に配置されている。検知機構６４は磁力線を検出可能なホール素子によって構成されており、磁石１４ｂが近づいた位置にあるか遠ざかった位置にあるかを検知することができる。これによって検知機構６４は、補助ロック１４のスライド動作に伴う磁石１４ｂの位置の変化を、非接触状態で検出することができる。
【００３８】
また、制御基板６１上において発光部６３と検知機構６４は、片側に偏して配置されているが、それと左右対称位置には、発光部６３を取付けることのできる発光部取付部６６と、検知機構６４を取付けることのできる検知機構取付部６７とが設けられている。これらは、クレセント１０の取付けが左右勝手違いとなる場合に、補助ロック１４も検知装置６０の反対側の側面に対向することとなるので、その際には発光部６３を図９に示す位置から反対側の発光部取付部６６に、検知機構６４を図９に示す位置から反対側の検知機構取付部６７に、それぞれ移動させる。
【００３９】
また、図８に示すように、検知装置６０のカバー６０ａには一方側のみに半透明の樹脂材が嵌め込まれた窓部６０ｂを有し、左右対称反対側の部分には光を非透過の樹脂材が嵌め込まれているが、左右勝手違いの場合には、図８の窓部６０ｂ部分には光を非透過の樹脂材を嵌め込み、それと左右対称反対側の部分に半透明の樹脂材を嵌め込むことで、発光部６３からの光を視認できるようにする。
【００４０】
別の形態として、制御基板６１上の左右両方に発光部６３及び検知機構６４を予め取付け、さらに検知装置６０のカバー６０ａにも左右両方に半透明の樹脂材を嵌め込んで窓部６０ｂを形成し、取付ける勝手に応じていずれか一方のみが発光部６３及び検知機構６４として機能するように構成してもよい。この場合には、制御基板６１に切替スイッチを設けるなどして、左右いずれの発光部６３及び検知機構６４を機能させるかを切替えることができる。
【００４１】
制御回路６２は、検知機構６４により検知した磁石１４ｂの位置により判断した補助ロック１４の施錠・解錠状態に応じて、発光部６３を点灯、点滅、または消灯する制御を行う。補助ロック１４が下方に向かってスライド操作されたことを磁石１４ｂの位置の変化により検知機構６４が検知した場合、制御回路６２は補助ロック１４が施錠状態となり障子４が完全な施錠状態になったものとして、発光部６３の緑色のＬＥＤを５秒間点灯させた後、消灯させる。すなわち、障子４が完全な施錠状態であるとき、発光部６３は所定時間後には消灯するので、発光部６３が消灯状態にあれば障子４が完全に施錠されていると視認することができる。
【００４２】
一方、補助ロック１４が上方に向かってスライド操作されたことを磁石１４ｂの位置の変化により検知機構６４が検知した場合、制御回路６２は補助ロック１４が解錠状態となったものとして、発光部６３の赤色のＬＥＤを間欠的に点滅させる。この点滅は、補助ロック１４が下方にスライド操作されて完全な施錠状態となったことを検知するまで継続される。すなわち、障子４が完全な施錠状態ではないとき、発光部６３は赤色のＬＥＤが点滅した状態であるので、発光部６３が点滅状態にあれば障子４が施錠されていないと視認することができる。
【００４３】
図１０には、制御回路６２による発光部６３の制御のフローチャートを示している。このフローチャートの初期状態は、補助ロック１４が下方位置にある、すなわち完全な施錠状態にあるものとする。この場合、発光部６３は消灯された状態にある（Ｓ１）。制御回路６２は、検知機構６４によって磁石１４ｂの位置を検知させ、補助ロック１４が上方にスライド、すなわち施錠を解除する方向に操作されたか否かを検出する（Ｓ２）。操作されていなければ、その検出を継続して行う。
【００４４】
補助ロック１４が施錠解除の方向で操作されたことを検知した場合、制御回路６２は施錠状態が解除されたものとして発光部６３の赤色のＬＥＤを点滅させる（Ｓ３）。次に制御回路６２は、検知機構６４によって磁石１４ｂの位置を検知させ、補助ロック１４が下方にスライド、すなわち施錠する方向に操作されたか否かを検出する（Ｓ４）。操作されていなければ、発光部６３の点滅が継続され、操作の検出が継続される。なお、前述のように補助ロック１４が下方にスライドするためには、予め障子４が完全に閉まった状態でクレセント１０のハンドル１３が操作され施錠状態の位置にある必要がある。
【００４５】
補助ロック１４が施錠の方向で操作されたことを検知機構６４により検知した場合、制御回路６２は施錠がなされたものとして発光部６３の緑色のＬＥＤをまず点灯させる（Ｓ５）。続いて点灯から５秒経過したか否かを判断し（Ｓ６）。経過したら発光部６３の緑色のＬＥＤを消灯させる（Ｓ７）。これはすなわち、Ｓ１の状態に戻ることを意味する。なお、初期状態が補助ロック１４の解錠状態にある場合には、図１０のＳ３のステップから開始される。
【００４６】
このように、クレセント１０の本体部１１上方に設けた検知装置６０により、施錠手段を構成する補助ロック１４のスライド操作を検知し、そのスライド方向に応じて発光部６３を点灯、点滅、または消灯する制御を行うようにしたことにより、障子４の施錠状態を容易に視認することができ、施錠のし忘れなどを防止して防犯性を高めることができる。また、障子４には空掛け防止機構が設けられているので、障子４が完全な施錠状態にある場合にのみ、その旨を発光部６３により表示することができる。
【００４７】
また、検知装置６０の別の形態としては、図１１及び図１２に示すものがある。図１１には別の形態の検知装置６０をクレセント１０の近傍に配置した状態の正面図を、図１２にはその状態の側面図を、それぞれ示している。図１１及び図１２に示すように、この形態の場合には、検知装置６０の窓部６０ｂを室内面のみに設けて、検知装置６０のハンドル１３と対向する面には窓部６０ｂが掛からないようにしている。このようにすることで、発光部６３が点灯または点滅した場合に、それを室内側からのみ視認することができ、室外側からは視認することができないようにすることができるので、より防犯性の高いものとすることができる。
【００４８】
以上、本発明の実施形態について説明したが、本発明の適用は本実施形態には限られず、その技術的思想の範囲内において様々に適用されうるものである。例えば、本実施形態では施錠手段を構成する補助ロック１４に磁石１４ｂを設け、検知装置６０ではその位置を検出することで発光部６３の点灯等を制御するようにしたが、施錠手段を構成するハンドル１３の上端部近傍に磁石１４ｂを設け、検知装置６０でその位置を検出するようにしてもよい。この場合、ハンドル１３の回動操作を検知機構６４で検知するため、障子４が完全に閉じた状態でハンドル１３を回動操作し、掛部１２を受金具１５に係合させた時点で障子４が施錠状態になったものと判断することになる。
【００４９】
また、本実施形態では検知装置６０をクレセント１０の本体部１１とは別体として設けているが、検知装置６０と本体部１１とを一体的に形成してもよい。ただし、別体とした方が後付けやメンテナンスには対応しやすいようにすることができる。さらに、本実施形態では補助ロック１４を上方に延出し、それと対向する検知装置６０を本体部１１の上方に配置したが、逆に補助ロック１４を下方に延出し、検知装置６０を本体部１１の下方に配置するようにしてもよい。
【図面の簡単な説明】
【００５０】
【図１】本実施形態におけるサッシを室内側から見た正面図である。
【図２】サッシの横断面図である。
【図３】クレセント及び検知装置を室内側から見た正面図である。
【図４】受金具を室内側から見た正面図である。
【図５】内障子と外障子を閉じた状態における召合せ框の横断面図であって、クレセントによる施錠がなされていない状態の図である。
【図６】図４の状態からクレセントによる施錠を行った状態の図である。
【図７】内障子と外障子が閉じていない状態における召合せ框の横断面図である。
【図８】クレセントと検知装置の側面図である。
【図９】検知装置のカバーを取り外した状態の側面図である。
【図１０】発光部制御のフローチャートである。
【図１１】クレセントと別の形態の検知装置を室内側から見た正面図である。
【図１２】図１１の側面図である。
【符号の説明】
【００５１】
１    枠体
２    框体
３    ガラス体
４    障子
４ａ  内障子
４ｂ  外障子
１０    クレセント
１１    本体部
１２    掛部
１３    ハンドル
１４    補助ロック
１４ａ  延出部
１４ｂ  磁石
１５    受金具
２０    トリガ部
３０    金具カバー
３１    突起部
５２ａ  召合せ框
６０    検知装置
６１    制御基板
６２    制御回路
６３    発光部
６４    検知機構
６５    電池収容部
【図１】
2008050916.tif 000003
【図２】
2008050916.tif 000004
【図３】
2008050916.tif 000005
【図４】
2008050916.tif 000006
【図５】
2008050916.tif 000007
【図６】
2008050916.tif 000008
【図７】
2008050916.tif 000009
【図８】
2008050916.tif 000010
【図９】
2008050916.tif 000011
【図１０】
2008050916.tif 000012
【図１１】
2008050916.tif 000013
【図１２】
2008050916.tif 000014